【手続補正書】
【提出日】平成15年7月25日(2003.7.25)
【手続補正１】
【補正対象書類名】明細書
【補正対象項目名】発明の名称
【補正方法】変更
【補正の内容】
【発明の名称】情報処理方法及び情報再生装置
【手続補正２】
【補正対象書類名】明細書
【補正対象項目名】特許請求の範囲
【補正方法】変更
【補正の内容】
【特許請求の範囲】
【請求項１】
任意の情報再生媒体に関連する関連情報を記憶する一又は複数の情報サーバと、
前記関連情報の格納場所を示すアドレス情報とキーワード情報とを対応付けた検索情報を記憶する第１のデータベースを有すると共に、装填される情報再生媒体の記憶情報を再生する情報再生装置と、
前記情報サーバに格納されている前記関連情報の格納場所を示すアドレス情報とキーワード情報とが対応付けられて成る検索情報を記憶すると共に、前記第１のデータベースとは別個の第２のデータベースとを備え、
インターネットを介して、前記情報サーバと情報再生装置と第２のデータベースとが情報通信可能に接続されるネットワークシステムにおける情報処理方法であって、
前記情報再生装置に情報再生媒体が装填されると、その装填された情報再生媒体に記憶されている記憶情報の読み取りを開始する読取工程と、
前記読取工程により読み取られた前記記憶情報の中から、前記装填された情報再生媒体に記憶されているキーワード情報を取得するキーワード情報取得工程と、
前記キーワード情報取得工程で取得したキーワード情報を前記第２のデータベースに伝送し、当該キーワード情報に対応するアドレス情報を前記第２のデータベースから検索するアドレス情報検索工程と、
前記アドレス情報検索工程で検索された前記アドレス情報を、前記伝送したキーワード情報に対応付けて、前記第１のデータベースに追加する追加工程と、
を備えることを特徴とする情報処理方法。
【請求項２】
更に、前記アドレス情報検索工程で検索されたアドレス情報に基づいて、当該アドレス情報に対応する前記一又は複数の何れかの前記情報サーバを前記情報通信によってアクセスし、前記装填された情報再生媒体に関連する関連情報を前記情報再生装置へ伝送する関連情報伝送工程を備えることを特徴とする請求項１に記載の情報処理方法。
【請求項３】
第１のデータベースを有しており、
任意の情報再生媒体に関連する関連情報を記憶する一又は複数の情報サーバと、前記情報サーバに格納されている前記関連情報の格納場所を示すアドレス情報とキーワード情報とが対応付けられて成る検索情報を記憶する第２のデータベースとに、インターネットを介して、情報通信可能な情報再生装置であって、
情報再生媒体が装填されると、その装填された情報再生媒体に記憶されている記憶情報の読み取りを開始する読取手段と、
前記読取手段により読み取られた前記記憶情報の中から、前記装填された情報再生媒体に記憶されているキーワード情報を取得するキーワード情報取得手段と、
前記キーワード情報取得手段で取得したキーワード情報を前記第２のデータベースに伝送し、当該キーワード情報に対応するアドレス情報を前記第２のデータベースから検索するアドレス情報検索手段と、
前記アドレス情報検索手段により検索された前記アドレス情報を、前記伝送したキーワード情報に対応付けて、前記第１のデータベースに追加する追加手段と、
を備えることを特徴とする情報再生装置。
【請求項４】
更に、前記アドレス情報検索手段で検索されたアドレス情報に基づいて、当該アドレス情報に対応する前記一又は複数の何れかの前記情報サーバを前記情報通信によってアクセスし、前記装填された情報再生媒体に関連する関連情報を取得する関連情報取得手段を備えることを特徴とする請求項３に記載の情報再生装置。
【請求項５】
任意の情報再生媒体に関連する関連情報を記憶する一又は複数の情報サーバと、
前記関連情報の格納場所を示すアドレス情報と識別情報とを対応付けた検索情報を記憶する第１のデータベースを有すると共に、装填される情報再生媒体の記憶情報を再生する情報再生装置と、
前記情報サーバに格納されている前記関連情報の格納場所を示すアドレス情報と識別情報とが対応付けられて成る検索情報を記憶すると共に、前記第１のデータベースとは別個の第２のデータベースとを備え、
インターネットを介して、前記情報サーバと情報再生装置と第２のデータベースとが情報通信可能に接続されるネットワークシステムにおける情報処理方法であって、
前記情報再生装置に情報再生媒体が装填されると、その装填された情報再生媒体に記憶されている記憶情報の読み取りを開始する読取工程と、
前記読取工程により読み取られた前記記憶情報の中から、前記装填された情報再生媒体に記憶されている識別情報を取得する識別情報取得工程と、
前記識別情報取得工程で取得した識別情報を前記第２のデータベースに伝送し、当該識別情報に対応するアドレス情報を前記第２のデータベースから検索するアドレス情報検索工程と、
前記アドレス情報検索工程で検索された前記アドレス情報を、前記伝送した識別情報に対応付けて、前記第１のデータベースに追加する追加工程と、
を備えることを特徴とする情報処理方法。
【請求項６】
更に、前記アドレス情報検索工程で検索されたアドレス情報に基づいて、当該アドレス情報に対応する前記一又は複数の何れかの前記情報サーバを前記情報通信によってアクセスし、前記装填された情報再生媒体に関連する関連情報を前記情報再生装置へ伝送する関連情報伝送工程を備えることを特徴とする請求項５に記載の情報処理方法。
【請求項７】
第１のデータベースを有しており、
任意の情報再生媒体に関連する関連情報を記憶する一又は複数の情報サーバと、前記情報サーバに格納されている前記関連情報の格納場所を示すアドレス情報と識別情報とが対応付けられて成る検索情報を記憶する第２のデータベースとに、インターネットを介して、情報通信可能な情報再生装置であって、
情報再生媒体が装填されると、その装填された情報再生媒体に記憶されている記憶情報の読み取りを開始する読取手段と、
前記読取手段により読み取られた前記記憶情報の中から、前記装填された情報再生媒体に記憶されている識別情報を取得する識別情報取得手段と、
前記識別情報取得手段で取得した識別情報を前記第２のデータベースに伝送し、当該識別情報に対応するアドレス情報を前記第２のデータベースから検索するアドレス情報検索手段と、
前記アドレス情報検索手段により検索された前記アドレス情報を、前記伝送した識別情報に対応付けて、前記第１のデータベースに追加する追加手段と、
を備えることを特徴とする情報再生装置。
【請求項８】
更に、前記アドレス情報検索手段で検索されたアドレス情報に基づいて、当該アドレス情報に対応する前記一又は複数の何れかの前記情報サーバを前記情報通信によってアクセスし、前記装填された情報再生媒体に関連する関連情報を取得する関連情報取得手段を備えることを特徴とする請求項７に記載の情報再生装置。
【手続補正３】
【補正対象書類名】明細書
【補正対象項目名】０００７
【補正方法】変更
【補正の内容】
【０００７】
【課題を解決するための手段】
上記課題を解決するため、請求項１記載の発明は、任意の情報再生媒体に関連する関連情報を記憶する一又は複数の情報サーバと、前記関連情報の格納場所を示すアドレス情報とキーワード情報とを対応付けた検索情報を記憶する第１のデータベースを有すると共に、装填される情報再生媒体の記憶情報を再生する情報再生装置と、前記情報サーバに格納されている前記関連情報の格納場所を示すアドレス情報とキーワード情報とが対応付けられて成る検索情報を記憶すると共に、前記第１のデータベースとは別個の第２のデータベースとを備え、インターネットを介して、前記情報サーバと情報再生装置と第２のデータベースとが情報通信可能に接続されるネットワークシステムにおける情報処理方法であって、前記情報再生装置に情報再生媒体が装填されると、その装填された情報再生媒体に記憶されている記憶情報の読み取りを開始する読取工程と、前記読取工程により読み取られた前記記憶情報の中から、前記装填された情報再生媒体に記憶されているキーワード情報を取得するキーワード情報取得工程と、前記キーワード情報取得工程で取得したキーワード情報を前記第２のデータベースに伝送し、当該キーワード情報に対応するアドレス情報を前記第２のデータベースから検索するアドレス情報検索工程と、前記アドレス情報検索工程で検索された前記アドレス情報を、前記伝送したキーワード情報に対応付けて、前記第１のデータベースに追加する追加工程と、を備えることを特徴とする。
請求項２記載の発明は、請求項１に記載の情報処理方法において、更に、前記アドレス情報検索工程で検索されたアドレス情報に基づいて、当該アドレス情報に対応する前記一又は複数の何れかの前記情報サーバを前記情報通信によってアクセスし、前記装填された情報再生媒体に関連する関連情報を前記情報再生装置へ伝送する関連情報伝送工程を備えることを特徴とする。
請求項３記載の発明は、第１のデータベースを有しており、任意の情報再生媒体に関連する関連情報を記憶する一又は複数の情報サーバと、前記情報サーバに格納されている前記関連情報の格納場所を示すアドレス情報とキーワード情報とが対応付けられて成る検索情報を記憶する第２のデータベースとに、インターネットを介して、情報通信可能な情報再生装置であって、情報再生媒体が装填されると、その装填された情報再生媒体に記憶されている記憶情報の読み取りを開始する読取手段と、前記読取手段により読み取られた前記記憶情報の中から、前記装填された情報再生媒体に記憶されているキーワード情報を取得するキーワード情報取得手段と、前記キーワード情報取得手段で取得したキーワード情報を前記第２のデータベースに伝送し、当該キーワード情報に対応するアドレス情報を前記第２のデータベースから検索するアドレス情報検索手段と、前記アドレス情報検索手段により検索された前記アドレス情報を、前記伝送したキーワード情報に対応付けて、前記第１のデータベースに追加する追加手段と、を備えることを特徴とする。
請求項４記載の発明は、請求項３に記載の情報再生装置において、更に、前記アドレス情報検索手段で検索されたアドレス情報に基づいて、当該アドレス情報に対応する前記一又は複数の何れかの前記情報サーバを前記情報通信によってアクセスし、前記装填された情報再生媒体に関連する関連情報を取得する関連情報取得手段を備えることを特徴とする。
請求項５記載の発明は、任意の情報再生媒体に関連する関連情報を記憶する一又は複数の情報サーバと、前記関連情報の格納場所を示すアドレス情報と識別情報とを対応付けた検索情報を記憶する第１のデータベースを有すると共に、装填される情報再生媒体の記憶情報を再生する情報再生装置と、前記情報サーバに格納されている前記関連情報の格納場所を示すアドレス情報と識別情報とが対応付けられて成る検索情報を記憶すると共に、前記第１のデータベースとは別個の第２のデータベースとを備え、インターネットを介して、前記情報サーバと情報再生装置と第２のデータベースとが情報通信可能に接続されるネットワークシステムにおける情報処理方法であって、前記情報再生装置に情報再生媒体が装填されると、その装填された情報再生媒体に記憶されている記憶情報の読み取りを開始する読取工程と、前記読取工程により読み取られた前記記憶情報の中から、前記装填された情報再生媒体に記憶されている識別情報を取得する識別情報取得工程と、前記識別情報取得工程で取得した識別情報を前記第２のデータベースに伝送し、当該識別情報に対応するアドレス情報を前記第２のデータベースから検索するアドレス情報検索工程と、前記アドレス情報検索工程で検索された前記アドレス情報を、前記伝送した識別情報に対応付けて、前記第１のデータベースに追加する追加工程と、を備えることを特徴とする。
請求項６記載の発明は、請求項５に記載の情報処理方法において、更に、前記アドレス情報検索工程で検索されたアドレス情報に基づいて、当該アドレス情報に対応する前記一又は複数の何れかの前記情報サーバを前記情報通信によってアクセスし、前記装填された情報再生媒体に関連する関連情報を前記情報再生装置へ伝送する関連情報伝送工程を備えることを特徴とする。
請求項７記載の発明は、第１のデータベースを有しており、任意の情報再生媒体に関連する関連情報を記憶する一又は複数の情報サーバと、前記情報サーバに格納されている前記関連情報の格納場所を示すアドレス情報と識別情報とが対応付けられて成る検索情報を記憶する第２のデータベースとに、インターネットを介して、情報通信可能な情報再生装置であって、情報再生媒体が装填されると、その装填された情報再生媒体に記憶されている記憶情報の読み取りを開始する読取手段と、前記読取手段により読み取られた前記記憶情報の中から、前記装填された情報再生媒体に記憶されている識別情報を取得する識別情報取得手段と、前記識別情報取得手段で取得した識別情報を前記第２のデータベースに伝送し、当該識別情報に対応するアドレス情報を前記第２のデータベースから検索するアドレス情報検索手段と、前記アドレス情報検索手段により検索された前記アドレス情報を、前記伝送した識別情報に対応付けて、前記第１のデータベースに追加する追加手段と、を備えることを特徴とする。
請求項８記載の発明は、請求項７に記載の情報再生装置において、更に、前記アドレス情報検索手段で検索されたアドレス情報に基づいて、当該アドレス情報に対応する前記一又は複数の何れかの前記情報サーバを前記情報通信によってアクセスし、前記装填された情報再生媒体に関連する関連情報を取得する関連情報取得手段を備えることを特徴とする。
【手続補正４】
【補正対象書類名】明細書
【補正対象項目名】０００８
【補正方法】変更
【補正の内容】
【０００８】
請求項１に係る情報処理方法の発明は、情報再生媒体に関連する関連情報を記憶する情報サーバと、情報再生装置と、第２のデータベースとがインターネットを介して、情報通信可能に接続されるネットワークシステムにおける情報処理方法の発明である。
ここで、いわゆるネット上の第２のデータベース（第１のデータベースとは別個のデータベース）には、関連情報の格納場所を示すアドレス情報とキーワード情報とを対応付けた検索情報が記憶されている。
また、情報再生装置には、第１のデータベースが備えられており、この第１のデータベースも、関連情報の格納場所を示すアドレス情報とキーワード情報とを対応付けた検索情報を記憶するデータベースとなっている。
そして、情報再生装置に情報再生媒体が装填されると、その装填された情報再生媒体から情報の読み取りを開始し、更にその読み取り情報の中から情報再生媒体に既に記憶されているキーワード情報を取得して、ネット上の第２のデータベースに伝送することによって、第２のデータベースから当該キーワード情報に対応付けられているアドレス情報を検索する。更に、その検索したアドレス情報と、第２のデータベースを検索するために伝送した上記のキーワード情報とを対応付けて、情報再生装置に備えられている第１のデータベースに追加する。
このように、本発明によれば、情報再生媒体が情報再生装置に装填されると、当該情報再生媒体からキーワード情報の取得が行われて、情報サーバに記憶されている当該情報再生媒体に関連する関連情報の格納場所を示すアドレス情報を、第２のデータベースから検索取得し、情報再生装置内の第１のデータベースに、当該キーワード情報とアドレス情報を対応付けて追加記憶することによって、その後に使用者が情報サーバをいわゆるアクセスする際に必要となるアドレス情報を簡易的に取得させることが出来、使用者に対し操作性の向上を提供することを可能にする。
請求項２に係る発明によれば、請求項１に係る発明において第２のデータベースから検索したアドレス情報に基づいて情報サーバをアクセスし、装填された情報再生媒体に関連する関連情報を情報再生装置へ伝送して、遊技者に提供する。
請求項３に係る情報再生装置の発明によれば、その情報再生装置と、情報再生媒体に関連する関連情報を記憶する情報サーバと、第２のデータベースとがネットワークシステムによって情報通信可能に接続されている。
ここで、いわゆるネット上の第２のデータベース（第１のデータベースとは別個のデータベース）には、関連情報の格納場所を示すアドレス情報とキーワード情報とを対応付けた検索情報が記憶されている。
また、情報再生装置には、第１のデータベースが備えられており、この第１のデータベースも、関連情報の格納場所を示すアドレス情報とキーワード情報とを対応付けた検索情報を記憶するデータベースとなっている。
そして、情報再生装置に情報再生媒体が装填されると、情報再生装置は、その装填された情報再生媒体から情報の読み取りを開始し、更にその読み取り情報の中から情報再生媒体に既に記憶されているキーワード情報を取得して、ネット上の第２のデータベースに伝送することによって、第２のデータベースから当該キーワード情報に対応付けられているアドレス情報を検索する。更に、その検索したアドレス情報と、第２のデータベースを検索するために伝送した上記のキーワード情報とを対応付けて、情報再生装置に自ら備えられている第１のデータベースに追加する。
このように、本発明によれば、情報再生媒体が情報再生装置に装填されると、当該情報再生媒体からキーワード情報の取得が行われて、情報サーバに記憶されている当該情報再生媒体に関連する関連情報の格納場所を示すアドレス情報を、第２のデータベースから検索取得し、情報再生装置内の第１のデータベースに、当該キーワード情報とアドレス情報を対応付けて追加記憶することによって、その後に使用者が情報サーバをいわゆるアクセスする際に必要となるアドレス情報を簡易的に取得させることが出来、使用者に対し操作性の向上を提供することを可能にする。
請求項４に係る発明によれば、情報再生装置が、請求項３に係る発明において第２のデータベースから検索したアドレス情報に基づいて情報サーバをアクセスし、装填された情報再生媒体に関連する関連情報を取得して、遊技者に提供する。
請求項５に係る情報処理方法の発明は、情報再生媒体に関連する関連情報を記憶する情報サーバと、情報再生装置と、第２のデータベースとがインターネットを介して情報通信可能に接続されるネットワークシステムにおける情報処理方法の発明である。
ここで、いわゆるネット上の第２のデータベース（第１のデータベースとは別個のデータベース）には、関連情報の格納場所を示すアドレス情報と識別情報とを対応付けた検索情報が記憶されている。
また、情報再生装置には、第１のデータベースが備えられており、この第１のデータベースも、関連情報の格納場所を示すアドレス情報と識別情報とを対応付けた検索情報を記憶するデータベースとなっている。
そして、情報再生装置に情報再生媒体が装填されると、その装填された情報再生媒体から情報の読み取りを開始し、更にその読み取り情報の中から情報再生媒体に既に記憶されている識別情報を取得して、ネット上の第２のデータベースに伝送することによって、第２のデータベースから当該識別情報に対応付けられているアドレス情報を検索する。更に、その検索したアドレス情報と、第２のデータベースを検索するために伝送した上記の識別情報とを対応付けて、情報再生装置に備えられている第１のデータベースに追加する。
このように、本発明によれば、情報再生媒体が情報再生装置に装填されると、当該情報再生媒体から識別情報の取得が行われて、情報サーバに記憶されている当該情報再生媒体に関連する関連情報の格納場所を示すアドレス情報を、第２のデータベースから検索取得し、情報再生装置内の第１のデータベースに、当該識別情報とアドレス情報を対応付けて追加記憶することによって、その後に使用者が情報サーバをいわゆるアクセスする際に必要となるアドレス情報を簡易的に取得させることが出来、使用者に対し操作性の向上を提供することを可能にする。
請求項６に係る発明によれば、請求項５に係る発明において第２のデータベースから検索したアドレス情報に基づいて情報サーバをアクセスし、装填された情報再生媒体に関連する関連情報を情報再生装置へ伝送して、遊技者に提供する。
請求項７に係る情報再生装置の発明によれば、その情報再生装置と、情報再生媒体に関連する関連情報を記憶する情報サーバと、第２のデータベースとがネットワークシステムによって情報通信可能に接続されている。
ここで、いわゆるネット上の第２のデータベース（第１のデータベースとは別個のデータベース）には、関連情報の格納場所を示すアドレス情報と識別情報とを対応付けた検索情報が記憶されている。
また、情報再生装置には、第１のデータベースが備えられており、この第１のデータベースも、関連情報の格納場所を示すアドレス情報と識別情報とを対応付けた検索情報を記憶するデータベースとなっている。
そして、情報再生装置に情報再生媒体が装填されると、情報再生装置は、その装填された情報再生媒体から情報の読み取りを開始し、更にその読み取り情報の中から情報再生媒体に既に記憶されている識別情報を取得して、ネット上の第２のデータベースに伝送することによって、第２のデータベースから当該識別情報に対応付けられているアドレス情報を検索する。更に、その検索したアドレス情報と、第２のデータベースを検索するために伝送した上記の識別情報とを対応付けて、情報再生装置に自ら備えられている第１のデータベースに追加する。
このように、本発明によれば、情報再生媒体が情報再生装置に装填されると、当該情報再生媒体から識別情報の取得が行われて、情報サーバに記憶されている当該情報再生媒体に関連する関連情報の格納場所を示すアドレス情報を、第２のデータベースから検索取得し、情報再生装置内の第１のデータベースに、当該識別情報とアドレス情報を対応付けて追加記憶することによって、その後に使用者が情報サーバをいわゆるアクセスする際に必要となるアドレス情報を簡易的に取得させることが出来、使用者に対し操作性の向上を提供することを可能にする。
請求項８に係る発明によれば、情報再生装置が、請求項７に係る発明において第２のデータベースから検索したアドレス情報に基づいて情報サーバをアクセスし、装填された情報再生媒体に関連する関連情報を取得して、遊技者に提供する。